(57)【特許請求の範囲】
【請求項１】
開口部が形成される外装部材と、
第１の爪部が形成される第１の延出部と、第２の爪部が形成される第２の延出部と、前記第１の延出部と前記第２の延出部との間で前記第１の延出部および前記第２の延出部の延出方向に突出する第１の凸部が形成される操作部材と、
第２の凸部が形成されるクリック腕部と、を備え、
前記第１の凸部が前記開口部に位置し、前記第１の爪部および前記第２の爪部が前記外装部材の内面に係合するように、前記操作部材を前記外装部材に配置し、
前記第１の凸部と前記第２の凸部とが対向するように、前記クリック腕部を前記第１の延出部と前記第２の延出部との間に配置し、
前記操作部材がスライド操作されることで、前記第１の凸部が前記第２の凸部に当接し、前記第２の凸部を持ち上げるように前記クリック腕部を弾性変形させ、
前記第１の凸部が前記第２の凸部の頂部を超えると、前記第１の凸部が前記第２の凸部の斜面に当接して、前記操作部材が一方向に押し付けられることを特徴とする電子機器。
【請求項２】
開口部が形成される外装部材と、
第１の爪部が形成される第１の延出部と、第２の爪部および穴部が形成される第２の延出部と、前記第１の延出部と前記第２の延出部との間で前記第１の延出部から前記第２の延出部に向けて突出する第１の凸部が形成される操作部材と、
第２の凸部が形成されるクリック腕部と、を備え、
前記第１の凸部が前記開口部に位置し、前記第１の爪部および前記第２の爪部が前記外装部材の内面に係合するように、前記操作部材を前記外装部材に配置し、
前記第２の凸部が前記穴部を通って前記第１の凸部に対向するように、前記クリック腕部を前記開口部の外側に配置し、
前記操作部材がスライド操作されることで、前記第１の凸部が前記第２の凸部に当接し、前記第２の凸部を持ち上げるように前記クリック腕部を弾性変形させ、
前記第１の凸部が前記第２の凸部の頂部を超えると、前記第１の凸部が前記第２の凸部の斜面に当接して、前記操作部材が一方向に押し付けられることを特徴とする電子機器。
【発明の詳細な説明】
【技術分野】
【０００１】
本発明は電子機器に係り、特に、スライドスイッチを動作させるための操作機構を備えたデジタルカメラやビデオカメラなどの小型の電子機器に関する。
【背景技術】
【０００２】
一般に、デジタルカメラやビデオカメラなどの小型の電子機器においては、機能やモードを切り替えるためのスライドスイッチなどは、電子機器の内部の基板等に取り付けられている。機能やモードの切り替えの動作は、カバーに組み込まれた操作用つまみをスライドさせて行われることが多い。一方、スライドスイッチの小型化や、その構造により、スイッチにクリック機構を持たせることができず、操作用つまみにクリック機能を持たせることもよく行われる。
【０００３】
その一例として、特開２００３−２１５４３１号公報（特許文献１）に示される切り替え装置がある。特許文献１では、スライドする操作用つまみの延出部に凸部が形成されている。また、本体側に凹部を形成してクリックとするとともに、操作用つまみの抜け止めとしている。このような構成により、簡易な構成で操作用つまみの保持とクリック感を両立させている。
【特許文献１】特開２００３−２１５４３１号公報
【発明の開示】
【発明が解決しようとする課題】
【０００４】
しかしながら、特許文献１に記載された切り替え装置では、操作用つまみの延出部に設けられた凸部がクリックの山を越える際、延出部が押し込まれる。このため、抜け止めとしての掛かりが浅くなる。結果として、操作用つまみが外れやすくなり、操作用つまみを強引に持ち上げると延出部が弾性変形して抜けてしまうという問題がある。
【０００５】
そこで、本発明は、スライド動作時に外れにくい操作用つまみを備えた電子機器を提供する。
【課題を解決するための手段】
【０００６】
本発明の電子機器は、開口部が形成される外装部材と、第１の爪部が形成される第１の延出部と、第２の爪部が形成される第２の延出部と、前記第１の延出部と前記第２の延出部との間で前記第１の延出部および前記第２の延出部の延出方向に突出する第１の凸部が形成される操作部材と、第２の凸部が形成されるクリック腕部と、を備え、前記第１の凸部が前記開口部に位置し、前記第１の爪部および前記第２の爪部が前記外装部材の内面に係合するように、前記操作部材を前記外装部材に配置し、前記第１の凸部と前記第２の凸部とが対向するように、前記クリック腕部を前記第１の延出部と前記第２の延出部との間に配置し、前記操作部材がスライド操作されることで、前記第１の凸部が前記第２の凸部に当接し、前記第２の凸部を持ち上げるように前記クリック腕部を弾性変形させ、前記第１の凸部が前記第２の凸部の頂部を超えると、前記第１の凸部が前記第２の凸部の斜面に当接して、前記操作部材が一方向に押し付けられることを特徴とする。
【０００７】
本発明のその他の特徴は、後述する実施例の中で説明される。
【発明の効果】
【０００８】
本発明によれば、スライド動作時に外れにくい操作用つまみを備えた電子機器を提供することができる。
【発明を実施するための最良の形態】
【０００９】
以下、本発明の実施例について、図面を参照しながら詳細に説明する。
【実施例１】
【００１０】
図１は、本発明を適用したデジタルスチルカメラを背面から見たときの外観斜視図である。本実施例では、電子機器の一例として、デジタルスチルカメラについて説明する。
【００１１】
図１において、１はデジタルスチルカメラの背面側のカバー（外装部材）である。カバー１には、撮影した画像などを表示する不図示の液晶を保護するため、透明窓２が係止されている。また、カバー１には、ファインダ窓用孔３、合焦ＬＥＤ用孔４、及び、マクロＬＥＤ用孔５が設けられている。
【００１２】
６は電源釦、７はカメラのモードを変更するためのモードダイアル、８はレリーズ釦、９はズームレバー、１０はストラップ金具である。
【００１３】
１１は操作音を出すためのスピーカ用孔であり、１２は撮影モードと再生モードを切り替えるための操作用つまみである。操作用つまみ１２は、一軸方向にスライド移動が可能である。１３は撮影時露出補正をするための露出補正操作釦である。１４は外部接続されたプリンターに対し、直接画像データを送信するための送信操作釦である。１５は透明窓２が保護する不図示の液晶表示をオン／オフするＬＣＤ操作釦であり、１６はカメラの各設定画面を呼び出すためのメニュー操作釦である。１７は図１中の上下左右４箇所にて押圧可能な操作釦で、メニュー操作釦１６を押して呼び出した各設定画面中で設定項目を選択する際に用いられる。また、１８は操作釦１７で選択した設定を決定するＳＥＴ操作釦である。
【００１４】
図２は、カバー１を取り外した状態をカメラ背面から見たときの分解斜視図である。
【００１５】
２１は操作基板である。操作基板２１には、操作釦１３乃至１８によって押されるタクトスイッチ２１ａが複数実装されている。操作基板２１は、ビス２２によって、カメラの本体に固定されている。また、後述のように、操作基板２１の背面にはモード切替スイッチ２３が実装されている。モード切替スイッチ２３は、不図示の回転軸を中心に回動可能な検知レバー２３ａを備えている。モード切替スイッチ２３の検知レバー２３ａは、図２中の手前側に付勢されている。検知レバー２３ａは、操作用つまみ１２の下方向へのスライド動作により押し込まれると、モード切替スイッチ２３がオンして、撮影モードを切り替える。
【００１６】
次に、図３乃至図６を参照しながら操作用つまみ１２周辺の構造及びその動作を説明する。
【００１７】
図３は、カバー１の操作用つまみ１２の周辺をデジタルカメラ内部から見たときの斜視図である。図４は、操作用つまみ１２の周辺をデジタルカメラ内部から見たときの正面図である。図５は、操作用つまみ１２の周辺を示しており、図４のＶ−Ｖで切断した断面図である。図６は操作用つまみ１２とクリック腕部３７の関係を示しており、図４のＶＩ−ＶＩで切断した断面図である。
【００１８】
３１、３２は操作用つまみ１２の背面に設けられた第１の延出部及び第２の延出部である。第１の延出部３１及び第２の延出部３２は、可撓性を有する材料からなる。第１の延出部３１及び第２の延出部３２としては、例えば、ある程度撓る性質を備えた樹脂等が用いられる。第１の延出部３１及び第２の延出部３２は、それぞれ、外側に突き出した爪部３１ａ、３２ａを備えている。爪部３１ａ、３２ａは、後述のように、カバー１に係合するための係止爪として機能する。第１の延出部３１及び第２の延出部３２は、デジタルカメラの外側から内側へ向かう方向に延びるように形成されている。また、第１の延出部３１及び第２の延出部３２は、互いに所定の間隔を有して配置されている。
【００１９】
第１の延出部３１及び第２の延出部３２の間には、後述のように、クリック腕部３７が配置されている。第１の延出部３１及び第２の延出部３２は、いずれもクリック腕部３７の側面に位置している。第１の延出部３１及び第２の延出部３２は、クリック腕部３７を介して対向して配置される。ここで、延出部３１と延出部３２との間の距離は、クリック腕部３７の幅にわずかな隙間幅を加えた距離になっている。なお、第１の延出部３１及び第２の延出部３２は、クリック腕部３７を跨るように設けられていてもよい。
【００２０】
また、本実施例における第１の延出部３１は、強度の調整のために操作用つまみ１２のスライド方向に２分割されている。すなわち、クリック腕部３７の一方の側面には２つの延出部３１が並んで設けられている。ただしこれに限られず、第１の延出部３１が分割されていないものであってもよいし、また、第２の延出部３１が３つ以上に分割されるものであってもよい。
【００２１】
第２の延出部３２は、クリック腕部３７の一方の側面に位置した２つの第１の延出部３１の他方側に配置されている。すなわち、第２の延出部３２は、クリック腕部３７を介して第１の延出部３１と対向する位置に設けられている。
【００２２】
第２の延出部３２は、検知リブとして用いられる。第２の延出部３２には、カム部３２ｃ、３２ｄが設けられている。カム部３２ｃ、３２ｄは、操作用つまみ１２が所定の位置に移動した場合に、操作基板２１の背面に実装されたモード切替スイッチ２３の検知レバー２３ａを回動させるために用いられる。検知レバー２３ａが回動することにより、実際にモードが切り替えられる。
【００２３】
デジタルカメラの内部方向におけるカム部３２ｃの長さは、検知レバー２３ａに当接する程度の長さである。一方、カム部３２ｄの長さは、カム部３２ｃより長く、検知レバー２３ａを回動させるのに十分な長さを備える。また、第２の延出部３２の長さは、カム部３２ｃからカム部３２ｄにかけて、曲線状に変化している。このため、操作用つまみ１２を図３の下方向に移動させる際には、カム部３２ｃが検知レバー２３ａに当接した後、検知レバー２３aがカム部３２ｄによりスムーズに回動される。このように、カム部３２ｃ、３２ｄは、検知レバー２３ａに当接して、検知レバー２３ａをスムーズに回動させることができるように形成されている。
【００２４】
３４は操作用つまみ１２の背面に設けられた第１の凸部である。第１の凸部３４は、操作用つまみ１２のスライド領域の略中央部に配置されている。また、第１の凸部３４は、第１の延出部３１及び第２の延出部３２の間に配置されている。後述のように、第１の凸部３４が所定の位置にある場合において、第１の凸部３４はクリック腕部３７に形成された第２の凸部３７ａに当接する。
【００２５】
カバー１には、長方形の穴である開口部３５が設けられている。延出部３１、３２は、開口部３５に挿入され、係止爪としての爪部３１ａ、３２ａが、開口部３５の周囲において、カバー１の内面３６に係合する。爪部３１ａ、３２ａは第１の延出部３１及び第２の延出部３２のそれぞれの側面に設けられており、また、第１の延出部３１及び第２の延出部３２のそれぞれから外側に延びている。すなわち爪部３１ａ、３２ａは、クリック腕部３７の存在する側面とは反対方向に延びている。このため、爪部３１ａ、３２ａは、それぞれ、開口部３５の対向する二辺において係合している。操作用つまみ１２は、爪部３１ａ、３２ａがカバー１の内面３６に係合しているため、操作用つまみ１２が引っ張られた場合でもカバー１から容易に外れることはない。
【００２６】
なお本実施例では、操作用つまみ１２、カバー１の開口部３５に挿入されてカバー１の内面３６に係合した爪部３１ａ、３２ａを備えた複数の延出部３１，３２、及び、操作用つまみ１２をスライド方向に付勢するための第１の凸部３４を、まとめて操作部材という。
【００２７】
３８は操作釦１３乃至１５を一体に成型してこれらを保持するためのランナーである。３７はランナー３８の一端に設けられた腕部としてのクリック腕である。クリック腕部３７は、クリック凸部として機能する第２の凸部３７ａを備える。
【００２８】
クリック腕部３７は、複数の延出部３１、３２の間に設けられる。また、クリック腕部３７に設けられた第２の凸部３７ａと複数の延出部３１，３２の間に設けられた第１の凸部３４は、それぞれの凸部が対向して配置されている。このため、第１の凸部３４と第２の凸部３７ａは、互いに向き合って当接する。
【００２９】
なお、本実施例において、複数の延出部３１、３２の間に配置されたクリック腕部３７、及び、操作部材をスライド方向に付勢するために第１の凸部３４と当接するようにクリック腕部３７に設けられた第２の凸部３７ａを、まとめてクリック部材という。
【００３０】
ランナー３８は、操作用つまみ１２がカバー１に組み付けられた後、クリック腕部３７を延出部３１、３２の間に配置して、カバー１に固定される。
【００３１】
図３乃至図５に示されるように、操作用つまみ１２がスライド領域のうちの上部分に位置している場合、第１の凸部３４の下部が第２の凸部３７ａの上部に当接する。これにより、操作用つまみ１２は、図４及び図５中のＢ方向として示される上方向に付勢される。この状態においては、図３に示されるように、延出部３２のカム部３２ｃ、３２ｄは、モード切替スイッチ２３の検知レバー２３ａに当接しない。
【００３２】
操作者は、モードを切り替えようとする場合、操作用つまみ１２を図４及び図５に示されるＡ方向に押し下げる。このとき、操作用つまみ１２の第１の凸部３４とクリック腕部３７の第２の凸部３７ａは、その斜面において互いに当接する。このため、クリック腕部３７の第２の凸部３７ａは、図５に示されるように、第１の凸部３４によりＣ方向に持ち上がる力が加えられる。
【００３３】
このとき、延出部３２のカム部３２ｃが検知レバー２３ａに当接するようになる。このため、検知レバー２３ａは、図３に示される矢印方向に回動を開始する。さらに操作用つまみ１２を押し下げると、操作用つまみ１２の第１の凸部３４がクリック腕部３７の第２の凸部３７ａの頂部を超える。第１の凸部３４が第２の凸部３７ａの頂部を超えると、クリック腕部３７の付勢力により、操作用つまみ１２は図４及び図５中のＡ方向として示される下方向に押し付けられる。このとき、モード切替スイッチ２３の検知レバー２３ａは、延出部３２のカム部３２ｄに当接する。また、モード切替スイッチ２３は、検知レバー２３ａが図３の矢印方向に回動したため、モード切替スイッチ２３により切替えられたモード状態（オン状態）が保持される。
【００３４】
一方、操作用つまみ１２を図４及び図５中のＡ方向からＢ方向に持ち上げるときは、上記と逆の動作になる。操作用つまみ１２を押し上げ、操作用つまみ１２の第１の凸部３４がクリック腕部３７の第２の凸部３７ａの頂部を超えると、クリック腕部３７の付勢力により操作用つまみ１２はＢ方向に押し付けられる。このとき、モード切替スイッチ２３の検知レバー２３ａは延出部３２のカム部３２ｃ、３２ｄに当接しなくなる。このため、モード切替スイッチ２３は、検知レバー２３ａが自身の付勢力により図３の矢印とは反対方向に戻される。この結果、モード切替スイッチ２３が元の状態に切替わり、この状態（オフ状態）が保持される。
【００３５】
次に、図６を参照しながら、爪部３１ａ、３１ｂがカバー１の内面３６に係合している係合幅、クリック腕部３７の幅、及び、延出部３１と延出部３２との間の距離の関係について説明する。
【００３６】
図６中のａ１、ａ２は、爪部３１ａ及び３２ａがカバー１の内面３６に係合している係合幅、すなわちカバー１の内面３６に掛けられている爪の掛かり量を示している。ｂは延出部３１、３２の間に配置されたクリック腕部３７の幅を示している。なお、第２の凸部３７ａの幅は、クリック腕部３７と同一又はクリック腕部３７より小さい。ｃは延出部３１と延出部３２との間の距離、すなわち延出部３１，３２の間隔を示している。
【００３７】
本実施例において、爪部３１ａ、３２ａの係合幅ａ１，ａ２は、延出部３１及び延出部３２の間の距離ｃとクリック腕部３７の幅ｂとの差より大きい。換言すれば、係合幅ａ１は距離ｃと幅とｂの差より大きくなるように設定されている（ａ１＞ｃ−ｂ）。同様に、係合幅ａ２も距離ｃと幅ｂとの差より大きくなるように設定されている（ａ２＞ｃ−ｂ）。
【００３８】
距離ｃと幅ｂの差は、延出部３１、３２とクリック腕部３７との間に存在する隙間ということになる。このような隙間があると、操作用つまみ１２は、その隙間の分だけ、スライド方向及び第１の延出部３１の延出方向のそれぞれに直交する方向に微動可能となる。このため、操作用つまみ１２は、十分な幅ａ１、ａ２を有する爪部３１ａ、３２ａが設けられていないとすると、スライド動作時にカバー１から外れやすい。
【００３９】
そこで、本実施例では、爪部３１ａ、３２ａのそれぞれの幅ａ１、ａ２を、延出部３１、３２とクリック腕部３７との間の隙間幅より大きくしている。このような構成を採用すれば、操作用つまみ１２がスライド方向の直交方向に微動した場合でも、爪部３１ａ、３２ａがカバー１の内面３６にしっかり係合する。このため、操作用つまみ１２に力が加えられて延出部３１、３２が撓っても、操作用つまみ１２はカバー１から外れにくい。
【００４０】
以上のとおり、本実施例によれば、操作用つまみから延びた延出部に設けられた爪部の掛かり量は、延出部とその間に配置されたクリック腕の隙間より大きくなるように設定されている。このため、操作用つまみを引っ張る力が加わった場合でも、操作用つまみがカバーから容易に外れることはない。この結果、スライド動作時に外れにくい操作用つまみを備えた電子機器を提供することが可能となる。
【実施例２】
【００４１】
次に、本発明の実施例２について説明する。なお、実施例２の前提となる基本的な構造は、実施例１の構造と同一である。このため、実施例２では、実施例１と異なる部分のみを説明し、実施例１と同一の部分についての説明は省略する。また、実施例１と同一部分を示す場合には、同一の参照番号を用いている。
【００４２】
図７及び図８に、実施例２における操作用つまみ１２の構造を示す。図７は、カバー１の操作用つまみ１２の周囲をカメラ内部から見た斜視図である。また、図８は、同じ箇所をカメラ内部から見た正面図である。
【００４３】
４１、４２は操作用つまみ１２の背面に設けられた第１の延出部及び第２の延出部である。第１の延出部４１及び第２の延出部４２は、外力が加わったときにある程度変形できることが好ましい。このため、第１の延出部４１及び第２の延出部４２としては、可撓性を備えた材料が用いられる。
【００４４】
第１の延出部４１は、カバー１に設けられた開口部４５に挿入される。また、第１の延出部４１は、カバー１の内部において、開口部４５の周囲の一辺と係合するための爪部４１ａを備えている。爪部４１ａは、第１の延出部４１において、操作用つまみ１２のスライド方向に直交し、かつ、第１の延出部４１及び第２の延出部４２の延出方向に直交する第１の方向に延びるように形成されている。すなわち爪部４１ａは、図８中の左方向に延びるように設けられている。なお、第１の延出部４１及び第２の延出部４２の延出方向は、デジタルカメラの外側から内側へ向かう方向である。
【００４５】
操作用つまみ１２は、爪部４１ａがカバー１の内面４６に係合しているため、カメラの外側に向けて引っ張られた場合でもカバー１から外れにくい。なお、本実施例では第１の延出部４１として、二つの延出部が設けられているが、これに限られず、第１の延出部が一つのみの場合や、三つ以上の第１の延出部を備えたものであってもよい。
【００４６】
第２の延出部４２は、二つの第１の延出部４１に所定の間隔を介して対向する位置に設けられている。第２の延出部４２は、モードの変更などを検知するための検知リブとして用いられる。
【００４７】
第２の延出部４２は、爪部４２ａ、４２ｂ、カム部４２ｃ、４２ｄを備える。カム部４２ｃ、４２ｄは、操作基板２１の背面に実装されたモード切替スイッチ２３の検知レバー２３ａに当接し、検知レバー２３ａを回動させる。カム部４２ｃ、４２ｄの形状は、このような機能を発揮できるように、実施例１の構造と同様の特徴を備える。
【００４８】
また、第２の延出部４２の爪部４２ａ、４２ｂは、カバー１の開口部４５の周囲に係合している。第２の延出部４２の爪部４２ａ、４２ｂは、第１の延出部４１の爪部４１ａが延びた第１の方向とは反対の第２の方向に形成されている。すなわち、爪部４２ａ、４２ｂは、図８中の右方向に延びている。また、爪部４２ａ、４２ｂは、爪部４１ａが係合している開口部４５の一辺とは対向する一辺において、カバー１の内面４６に係合している。
【００４９】
また、第２の延出部４２の略中央部には穴部４２ｅが形成されている。穴部４２ｅは、操作用つまみ１２のスライド方向に直交し、かつ、第１の延出部４１及び第２の延出部４２の延出方向に直交する第１の方向に貫通している。爪部４２ａ、４２ｂは、穴部４２ｅを避けて穴部４２ｅの両側に形成されている。
【００５０】
４４は操作用つまみ１２背面の略中央部に配置された第１の凸部である。第１の凸部４４は、二つの第１の延出部４１の間に形成されている。また、第１の凸部４４は、爪部４１ａが延びた第１の方向とは反対側の第２の方向に形成されている。すなわち、第１の凸部４４は、第２の延出部４２の爪部４２ａ、４２ｂが延びる方向に突出している。
【００５１】
第１の延出部４１及び第２の延出部４２は、カバー１に開けられた長穴である開口部４５に挿入される。その後、第１の延出部４１の爪部４１ａ及び第２の延出部４２の爪部４２ａ、４２ｂは、カバー１の内面４６に係合して、操作用つまみ１２がカバー１から外れないように組み付けられる。
【００５２】
４７は操作釦１３乃至１５を一体に成型し保持するためのランナー４８の一端に設けられたクリック腕である。クリック腕部４７は、その略中央部において、クリック凸部として機能する第２の凸部４７ａを有する。第２の凸部４７ａは、操作用つまみ１２のスライド方向かつデジタルカメラの外側から内側へ向かう方向と直交する第１の方向に延びている。すなわち、第２の凸部４７ａは、第１の延出部４１の爪部４１ａが延びる方向と同一の方向、かつ、第１の凸部４４が延びる第２の方向とは反対の方向に延びている。
【００５３】
このように、第１の凸部４４及び第２の凸部４７ａの突出方向は、操作用つまみ１２のスライド方向に直交し、かつ、第１の延出部４１の延出方向に直交する方向である。また、第１の凸部４４及び第２の凸部４７ａの突出方向は、互いに反対方向である。この結果、第１の凸部４４及び第２の凸部４７ａは、操作用つまみ１２が引っ張られる方向と直交する方向に付勢されるため、操作用つまみ１２は容易に外れない。
【００５４】
ランナー４８は、操作用つまみ１２がカバー１に組み付けられた後にカバー１に固定される。このとき、クリック腕部４７の第２の凸部４７ａは、操作用つまみ１２の第２の延出部４２に開けられた穴部４２ｅに挿入される。第２の凸部４７ａが第２の延出部４２の穴部４２ｅに挿入されているため、操作用つまみ１２がデジタルカメラの外側に引っ張られても外れない。
【００５５】
操作用つまみ１２は、第１の凸部４４とクリック腕部４７の第２の凸部４７ａとが当接することにより、図８中の上方向に付勢される。この状態では、モード切替スイッチ２３の検知レバー２３ａと第２の延出部４２のカム部４２ｃ、４２ｄは当接しない。
【００５６】
この状態から、操作者が操作用つまみ１２を押し下げると、操作用つまみ１２の第１の凸部４４とクリック腕部４７の第２の凸部４７ａの斜面同士が当接するようになる。このため、クリック腕部４７の第２の凸部４７ａは、第１の凸部４４の影響により、図８中の右方向に微動する。このとき、モード切替スイッチ２３の検知レバー２３ａと第２の延出部４２のカム部４２ｃとが当接し、検知レバー２３ａが回動しはじめる。また、操作用つまみ１２は、第２の凸部４７ａの影響により、図８中の左方向に押し付けられる。このとき、爪部４１ａがカバー１の内面４６に係合しているため、操作用つまみ１２を含む操作部材は、カバー１から容易に外れない。
【００５７】
さらに、操作用つまみ１２を押し下げると、操作用つまみ１２の第１の凸部４４とクリック腕部４７の第２の凸部４７ａの頂部を超える。この頂部を超えると、操作用つまみ１２は、クリック腕部４７の付勢力により下方向に押し付けられる。このとき、モード切替スイッチ２３の検知レバー２３ａは、第２の延出部４２のカム部４２ｄに当接し、モード切替スイッチ２３が切替えられ、この状態（オン状態）が保持される。
【００５８】
以上のとおり、本実施例によれば、操作用つまみから延出された延出部に設けられた爪部と、クリックのための第２の凸部が、延出部の両面に位置する。このため、クリックにより、延出部が押されても爪部の係りが浅くなることはない。この結果、操作用つまみはカバーから容易に外れない。
【００５９】
また、操作用つまみに設けられた他の延出部に穴をあけ、クリック部材の凸部を通している。このため、操作用つまみを含む操作部材を、さらに外れにくい構成とすることができる。
【００６０】
以上、本発明を実施例に基づいて詳細に説明した。ただし、本発明は上記実施例にて説明した事項に限定されるものではなく、本発明の技術思想の範囲内で適宜変更が可能である。
【００６１】
例えば、上記実施例においては、操作用つまみ１２の第１の凸部及びクリック腕部の第２の凸部は、それぞれ一つ設けられている。これに代えて、操作用つまみ１２の第１の凸部、又は、クリック腕部の第２の凸部を複数個設けることもできる。さらに、第１の凸部及び第２の凸部の両方を複数個設けることもできる。このように複数個の凸部を備えれば、三段階以上のモードを備えたスイッチを構成することができる。
【００６２】
また、上記実施例においては、操作用つまみ１２は撮影モードと再生モードを切り替えるために用いられるが、これに限られず、他のモードや機能を切り替えるために用いられるものであってもよい。
【００６３】
また、上記実施例においては、本発明が適用される電子機器としてデジタルスチルカメラの例を説明したが、これに限られず、ビデオカメラなどの他の電子機器にも適用されうる。
【００６４】
【図面の簡単な説明】
【００６５】
【図１】本発明の実施例におけるデジタルカメラの外観斜視図である。
【図２】図１のデジタルカメラの分解斜視図である。
【図３】実施例１の操作用つまみ周辺をカメラ内部から見た斜視図である。
【図４】実施例１の操作用つまみ周辺をカメラ内部から見た正面図である。
【図５】図４をＶ−Ｖで切断した断面図である。
【図６】図４をＶＩ−ＶＩで切断した断面図である。
【図７】実施例２の操作用つまみ周辺をカメラ内部から見た斜視図である。
【図８】実施例２の操作用つまみ周辺をカメラ内部から見た正面図である。
【符号の説明】
【００６６】
１  カバー
２  透明窓
３  ファインダ窓用孔
４  合焦ＬＥＤ用孔
５  マクロＬＥＤ用孔
６  電源釦
７  モードダイアル
８  レリーズ釦
９  ズームレバー
１０  ストラップ金具
１１  スピーカ用孔
１２  操作用つまみ
１３  露出補正操作釦
１４  送信操作釦
１５  ＬＣＤ操作釦
１６  メニュー操作釦
１７  操作釦
１８  ＳＥＴ操作釦
２１  操作基板
２１ａ  タクトスイッチ
２２  ビス
２３  モード切替スイッチ
２３ａ  検知レバー
３１、４１  第１の延出部
３２、４２  第２の延出部
３１ａ、３２ａ、３２ｂ、４１ａ、４２ａ、４２ｂ  爪部
３２ｃ、３２ｄ、４２ｃ、４２ｄ  カム部
３４、４４  第１の凸部
３５、４５  開口部
３６、４６  内面
３７、４７  クリック腕部
３７ａ，４７ａ  第２の凸部
３８、４８  ランナー
【図２】
0005235379.tif 000002
【図３】
0005235379.tif 000003
【図１】
0005235379.tif 000004
【図４】
0005235379.tif 000005
【図５】
0005235379.tif 000006
【図６】
0005235379.tif 000007
【図７】
0005235379.tif 000008
【図８】
0005235379.tif 000009